(57)【特許請求の範囲】
【請求項１】
抜差管により管体の長さを変化させることにより音程変化可能な金管楽器における複数の抜差管に設けられた各トリガーに取り付け可能な金管楽器用抜差管ストッパであって、
少なくとも一対のループ状開口部が形成された引掛部と、これら引掛部間で纏まり部を形成して各引掛部を接続する線状の接続部とを備え、
前記接続部及び引掛部の少なくとも一方が弾性変形可能に設けられ、
前記開口部の左右幅は、前記トリガーの左右幅と略同一若しくは小さく設定されていることを特徴とする金管楽器用抜差管ストッパ。
【請求項２】
前記金管楽器はトランペットであって、
前記各トリガーは、トランペットの第１抜差管に設けられた第１トリガーと、第３抜差管に設けられた第３トリガーとであることを特徴とする請求項１記載の金管楽器用抜差管ストッパ。
【発明の詳細な説明】
【技術分野】
【０００１】
本発明は、トランペットやコルネット等の抜差管により管体の長さを変化させる金管楽器用抜差管ストッパに係り、更に詳しくは、抜差管が抜け落ちることを防止することができる金管楽器用抜差管ストッパに関する。
【背景技術】
【０００２】
従来より、金管楽器として一般的に普及しているトランペット（特許文献１参照）においては、図６に示される構造を備えている。同図ではトランペットＴＰの一部を示しており、当該トランペットＴＰは、図中左から右に並んで設けられた第１〜第３ピストンバルブＢ１〜Ｂ３と、これら第１〜第３ピストンバルブＢ１〜Ｂ３にそれぞれ設けられた第１〜第３抜差管Ｎ１〜Ｎ３と、第１抜差管Ｎ１に設けられた第１トリガーＴ１と、第３抜差管Ｎ３に設けられた第３トリガーＴ３とを備えている。第１抜差管Ｎ１及び第３抜差管Ｎ３は、演奏中、音程調整のために操作可能に設けられている。具体的には、図６の状態から第１トリガーＴ１と第３トリガーＴ３とが離れる方向に操作し、第１及び第３抜差管Ｎ１、Ｎ３をいわゆる抜く操作をしたり、当該抜く操作をした状態から第１トリガーＴ１と第３トリガーＴ３とを接近し、第１及び第３抜差管Ｎ１、Ｎ３をいわゆる入れる操作を行えるようになっており、これらの操作によってトランペットＴＰの管体の長さが変化して音程を変化可能となっている。
【０００３】
従って、第１及び第３抜差管Ｎ１、Ｎ３は、演奏者等が手を離すと抜け落ちしてしまい、特に、トランペットのケースへの収納時や、トランペットを持っての移動時に、抜け落ちる傾向が強くなる、という不都合がある。そこで、かかる不都合を解消すべく、図６に示されるように、第１及び第３トリガーＴ１、Ｔ３に輪ゴムＲＧを掛け回すことが行われている。これによれば、第１及び第３抜差管Ｎ１、Ｎ３が抜け落ちることを回避可能となり、また、輪ゴムＲＧの伸縮性により当該輪ゴムＲＧを装着したまま第１及び第３抜差管Ｎ１、Ｎ３の抜く操作と入れる操作とを行えるようになる。
【先行技術文献】
【特許文献】
【０００４】
【特許文献１】特開平１０−２９３５７５号公報
【発明の概要】
【発明が解決しようとする課題】
【０００５】
しかしながら、輪ゴムＲＧにあっては、図６中左右方向中間部分で二本のゴムが同図中上下に間隔を開けて位置し易くなる。このため、演奏者がトランペットＴＰを保持して第１及び第３抜差管Ｎ１、Ｎ３を操作する際、二本のゴムの隙間に指が入り込んだり、輪ゴムＲＧに指が引っ掛かったりすることで演奏性を損なう、という不都合を招来する。また、輪ゴムＲＧにあっては汎用品となるので、そのサイズが大きいと、第１及び第３トリガーＴ１、Ｔ３に掛け回しても張力が作用しない場合がある。この場合、輪ゴムＲＧが第１及び第３トリガーＴ１、Ｔ３から不用意に外れ易くなって演奏の邪魔になるばかりでなく、第１及び第３抜差管Ｎ１、Ｎ３の脱落を十分に防止できなくなる、という不都合がある。この一方、輪ゴムＲＧのサイズが小さいと、張力に抗して指を広げなければならないため、大きな力が必要になり演奏操作に支障がある。更に、輪ゴムＲＧは、天然ゴム等の素材で加硫しているため、硫化水素や亜硫酸ガスが発生し、銀メッキされたトランペットの表面を黒く変色させる、という不都合を生じる。
【０００６】
［発明の目的］
本発明は、このような不都合に基づいて案出されたものであり、その目的は、抜差管が抜け落ちることを回避でき、且つ、演奏性が損なわれることを抑制することができる金管楽器用抜差管ストッパを提供することにある。
また、本発明の他の目的は、銀メッキされた金管楽器表面の変色を抑制することができる金管楽器用抜差管ストッパを提供することにある。
【課題を解決するための手段】
【０００７】
前記目的を達成するため、本発明は、抜差管により管体の長さを変化させることにより音程変化可能な金管楽器における複数の抜差管に設けられた各トリガーに取り付け可能な金管楽器用抜差管ストッパであって、
少なくとも一対のループ状開口部が形成された引掛部と、これら引掛部間で纏まり部を形成して各引掛部を接続する線状の接続部とを備え、
前記接続部及び引掛部の少なくとも一方が弾性変形可能に設けられ、
前記開口部の左右幅は、前記トリガーの左右幅と略同一若しくは小さく設定される、という構成を採っている。
【００１０】
更に、前記金管楽器はトランペットであって、
前記各トリガーは、トランペットの第１抜差管に設けられた第１トリガーと、第３抜差管に設けられた第３トリガーとである、という構成を採ってもよい。
【発明の効果】
【００１１】
本発明によれば、各トリガーに引掛部をそれぞれ引っ掛けることで、各抜差管が抜け落ちることを防止することができる。しかも、接続部に纏まり部が形成されるので、従来の輪ゴムを用いた場合に比べ、トリガー間に位置する部材が纏まり、接続部に指が引っ掛かり難くなって演奏性を改善することができる。
【００１２】
また、引掛部をループ状に形成しつつ、接続部を線状に形成した場合、シンプルな構成としつつ、接続部への指の引っ掛かりをより良く防止でき、且つ、引掛部がトリガーから意図せずに外れることを抑制可能となる。
【００１３】
更に、シリコンゴムとしたので、硫化水素等の発生に起因する銀メッキされたトランペット表面の変色を防止することができる。
【図面の簡単な説明】
【００１４】
【図１】実施形態に係るストッパ及びトランペットの概略正面図。
【図２】（Ａ）はストッパの拡大正面図、（Ｂ）は（Ａ）の平面図。
【図３】トランペットにストッパを取り付けた態様を示す図１と同様の正面図。
【図４】ストッパの他の取り付け態様を示す図１と同様の正面図。
【図５】ストッパの更に他の取り付け態様を示す図１と同様の正面図。
【図６】従来例に係る輪ゴム及びトランペットの概略正面図。
【発明を実施するための形態】
【００１５】
以下、本発明の好ましい実施の形態について図面を参照しながら説明する。
なお、本明細書及び特許請求の範囲において、「纏まり部」とは、引掛部間において少なくとも一個所で線状や点状、ブロック状等に纏まって形成される部分を意味し、単一の構造体として形成する場合だけでなく、複数の線状等をなす構造体をクロスさせたり隣り合って配置したりして形成する場合も含む概念として用いる。更に、「線状」とは、所定方向に細長く延びる種々の形状を意味し、例えば、断面が扁平形状となる帯状や、断面が円形や多角形状等となる紐状、帯状になる部分と紐状になる部分とが混在することで長手方向において断面が変化する形状等も含む。
また、本明細書において、特に明示しない限り、「上」、「下」、「左」、「右」は、図１を基準として用いる。
【００１６】
図１〜図５において、実施形態に係るストッパ１０は、金管楽器としてのトランペットＴＰに装着可能に設けられる。ここで、本実施形態に用いられるトランペットＴＰは、前述した図６のトランペットＴＰと同一構造となるため、同図と同一符号を付し、説明を省略する。
【００１７】
前記ストッパ１０は、ループ状に形成される一対の引掛部１２，１２と、これら引掛部１２，１２を接続する一本の接続部１４とを備えて構成されている。ストッパ１０は、シリコンゴムを成形材料とし、各引掛部１２，１２が接続部１４に連なるよう、その全体を射出成形等の成形方法により一体成形されている。ストッパ１０は、意図的な外力を加えることにより、各引掛部１２，１２及び接続部１４を弾性変形可能に設けられている。
【００１８】
左側の引掛部１２は、右側の引掛部１２と左右対称になる形状に設けられている。各引掛部１２、１２は、接続部１４に連なる二股状部１６と、この二股状部１６の先端間に連なる半円弧状部１７とをそれぞれ備え、無負荷状態で左右方向に長い楕円に近似した開口部１２Ａを形成している。開口部１２Ａの最大開口幅、すなわち、図１中左右幅Ｗ１は、第１トリガーＴ１の左右幅Ｗ２又は第３トリガーＴ３の左右幅Ｗ３と略同一若しくは小さく設定されている。これにより、引掛部１２を変形し、開口部１２Ａの左右幅Ｗ１や開口形状を拡げて当該開口部１２Ａ内に第１及び第３トリガーＴ１，Ｔ３を挿入することにより、第１及び第３トリガーＴ１，Ｔ３に各引掛部１２をそれぞれ引っ掛け可能となっている。
【００１９】
前記接続部１４は、帯状部２０と、当該帯状部２０の左右両端と各引掛部１２、１２における二股状部１６の基部間に連なるとともに、円柱形の紐状をなす一対の連結部２１とを備えて一本の線状をなす纏まり部を形成している。図３に示されるように、接続部１４及び各引掛部１２，１２は、第１及び第３トリガーＴ１，Ｔ３に各引掛部１２，１２を引っ掛けたときに、当該第１及び第３トリガーＴ１，Ｔ３を接近させる方向の弾力が作用する大きさに設けられている。本実施形態では、図１に示されるように、第１及び第３トリガーＴ１，Ｔ３における各基部の離間距離Ｄ１に対し、左右の引掛部１２における半円弧状部１７内周の離間距離Ｄ２が略同一若しくは小さくなるように、接続部１４の長さが設定されている。
【００２０】
次に、前記ストッパ１０の取り付け方法について説明する。
【００２１】
ストッパ１０をトランペットＴＰに取り付ける場合、先ず、一方の引掛部１２を変形しながら開口部１２Ａ内に第１トリガーＴ１を挿入して引っ掛ける。この状態から、他方の引掛部１２を第３トリガーＴ３側に引っ張り、一方の引掛部１２及び接続部１４を伸長しながら、他方の引掛部１２を変形して開口部１２Ａ内に第３トリガーＴ３を挿入して引っ掛ける。これにより、図３に示されるように、第１及び第３トリガーＴ１，Ｔ３間において、各バルブＢ１〜Ｂ３の正面側に一本の接続部１４が位置するよう掛け渡された状態でストッパ１０が取り付けられる。このとき、接続部１４及び各引掛部１２，１２の弾力によって第１及び第３トリガーＴ１，Ｔ３が接近する方向の力が加わり、意図的な外力を付与しない限り第１及び第３抜差管Ｎ１、Ｎ３が抜けたりスライドしたりすることを回避できる。また、ストッパ１０が取り付けられた状態で、演奏者が第１及び第３トリガーＴ１，Ｔ３を離間接近することにより、各引掛部１２及び接続部１４を弾性変形して伸縮し、第１及び第３抜差管Ｎ１、Ｎ３のいわゆる抜く操作と入れる操作とを行えるようになる（図３中二点鎖線参照）。なお、二つの引掛部１２を引っ掛ける順序は、第３トリガーＴ３が先で、第１トリガーＴ１を後としてもよい。
【００２２】
ところで、前記離間距離Ｄ２（図１参照）を前述のように設定したので、図４に示されるように、一方の引掛部１２を第１トリガーＴ１に引っ掛け、他方の引掛部１２を第３ピストンバルブＢ３の底側に引っ掛けることが可能となる。これにより、図３の取り付け状態に比べ、第１トリガーＴ１を介して第１抜差管Ｎ１を抜き差しするための操作力を調整することができる。また、図５に示されるように、ストッパ１０を更に一体用意し、当該ストッパ１０の引掛部１２、１２を第３トリガーＴ３と第１ピストンバルブＢ１の底側とに引っ掛けてもよく、これにより、第３抜差管Ｎ３を抜き差しするための操作力も調整可能となる。
【００２３】
また、図３に示されるように、第１及び第３トリガーＴ１，Ｔ３に各引掛部１２，１２を引っ掛けたときのストッパ１０によるテンションは、１．０Ｎ以上２．２Ｎ以下の範囲内に設定される。このテンションの最小値は、各トリガーＴ１，Ｔ３に指を掛けてストッパ１０を伸ばし始め、当該指に抵抗がかかり始めるタイミングの値であり、最大値は、各トリガーＴ１，Ｔ３に指の掛かる範囲で最大に伸ばしきったタイミングでの値である。ここで、例えば、ストッパ１０を複数用意し、それらのサイズ等を変更して各ストッパ１０によるテンションを変え、これらのストッパ１０を選択して用いてもよい。例えば、一のストッパ１０のテンションを１．５Ｎ以上２．２Ｎ以下に設定し、他のストッパ１０のテンションを１．０Ｎ以上１．５Ｎ以下に設定することができる。これにより、図３に示される状態で使用する場合と、図４や図５に示される状態で使用する場合とで異なるテンションのストッパ１０を用いたり、輸送時と演奏時とで異なるテンションのストッパ１０を用いたりする他、ストッパ１０を変更することで演奏者の使用感に対する種々のニーズに対応することが可能となる。
【００２４】
従って、このような実施形態によれば、図３に示されるように、第１及び第３トリガーＴ１，Ｔ３間に跨ってストッパ１０が取り付けた場合、これらトリガーＴ１，Ｔ３から手を離しても、第１及び第３抜差管Ｎ１、Ｎ３が抜け落ちることを回避でき、トランペットＴＰを持ち運ぶときや、収納するときの取扱性を向上することができる。また、一対の引掛部１２，１２を接続する接続部１４が一本となるので、ストッパ１０において、従来の輪ゴムＲＧのように演奏者の指が入り込む隙間が生じることを抑制でき、楽器を操作する指が引っ掛かることを防ぐことが可能となる。更に、引掛部１２における開口部１２Ａの左右幅Ｗ１を各トリガーＴ１，Ｔ３の左右幅Ｗ２，Ｗ３と略同一若しくは小さく設定したので、これによっても、ストッパ１０への指の引っ掛かり防止に寄与できる他、トリガーＴ１，Ｔ３から引掛部１２が意に反して外れることを回避することが可能となる。また、ストッパ１０がシリコンゴムにより構成されるので、トランペットＴＰ表面が銀メッキされている場合でも、輪ゴムＲＧのようにトランペットＴＰ表面を変色させることを防止することができる。
【００２５】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、引掛部１２の形状は、第１及び第３トリガーＴ１，Ｔ３に引っ掛け可能な限りにおいて、鉤状としたりＣ字状としたりしてもよい。但し、実施形態のようなループ状に引掛部１２を形成することで、第１及び第３トリガーＴ１，Ｔ３から意図せず外れ難くなる点で有利となる。
【００２７】
また、ストッパ１０の形成方法は、各引掛部１２，１２と接続部１４とを別々に形成した後、これらを接着等により接続するようにしてもよい。この場合、前記実施形態と同様の作用、効果を奏する限りにおいて、引掛部１２及び接続部１４の何れか一方だけを弾性変形可能に設けてもよい。
【００２８】
更に、接続部１４の形状は、引掛部１２，１２間で纏まり部を有する限りにおいて、球状やブロック状、曲線状に設けてもよい。
【００２９】
更に、ストッパ１０は、コルネット等、抜差管により管体の長さを変化させることにより音程変化可能な金管楽器に用いてもよい。
【符号の説明】
【００３０】
１０・・・ストッパ、１２・・・引掛部、１４・・・接続部、Ｎ１・・・第１抜差管、Ｎ３・・・第３抜差管、Ｔ１・・・第１トリガー、Ｔ３・・・第３トリガー、ＴＰ・・・トランペット（金管楽器）
【図１】
0005842575.tif 000002
【図２】
0005842575.tif 000003
【図３】
0005842575.tif 000004
【図４】
0005842575.tif 000005
【図５】
0005842575.tif 000006
【図６】
0005842575.tif 000007